(57)【要約】【課題】記録媒体に対して加工を施すことなくインクジェットヘッドが損傷することを軽減することができるインクジェット記録装置を提供する。【解決手段】インクジェット記録装置は、記録媒体Ｒに順番にインクを吐出する複数のヘッドユニット４１、４２、４３、４４、４５、４６を備えている。第１ヘッドユニット４１における吐出面４１ａと記録媒体Ｒとの間隔は、第２ヘッドユニット４２における吐出面４２ａと記録媒体との間隔以上に設定されている。また、第１ヘッドユニット４１における吐出面４１ａと記録媒体Ｒとの間隔は、第３ヘッドユニット４３における吐出面４３ａと記録媒体Ｒとの間隔よりも広く設定される。【選択図】図３
2019155681.tif 000002
【特許請求の範囲】
【請求項１】
記録媒体に対向して配置され、前記記録媒体に順番にインクを吐出する複数のヘッドユニットを備え、
前記複数のヘッドユニットは、前記インクを吐出するインクジェットヘッドを有し、
前記複数のヘッドユニットのうち先にインクを吐出する第１ヘッドユニットにおける吐出面と前記記録媒体との間隔は、次にインクを吐出する第２ヘッドユニットにおける吐出面と前記記録媒体との間隔以上に設定され、少なくとも第２ヘッドユニットの次にインクを吐出する第３ヘッドユニットにおける吐出面と前記記録媒体との間隔よりも広く設定される
インクジェット記録装置。
【請求項２】
前記複数のヘッドユニットのうち前記記録媒体に先にインクを吐出するヘッドユニットは、後にインクを吐出するヘッドユニットよりも視認性の低いインクを吐出する
請求項１に記載のインクジェット記録装置。
【請求項３】
前記複数のヘッドユニットから吐出されるインクは、単色のインクである
請求項１又は２に記載のインクジェット記録装置。
【請求項４】
前記記録媒体を搬送する搬送部を有し、
前記複数のヘッドユニットは、前記記録媒体の搬送方向に沿って配置され、
前記第１ヘッドユニットは、前記第２ヘッドユニット及び前記第３ヘッドユニットよりも搬送方向の上流側に配置される
請求項１〜３のいずれか１項に記載のインクジェット記録装置。
【請求項５】
前記複数のヘッドユニットを収容するキャリッジと、
前記キャリッジを前記記録媒体の画像形成面と平行をなす面において移動可能に支持する支持機構と、を備え、
前記第１ヘッドユニットは、前記キャリッジが移動する方向の上流側に配置される
請求項１〜３のいずれか１項に記載のインクジェット記録装置。
【請求項６】
前記記録媒体は、布帛である
請求項１〜４のいずれか１項に記載のインクジェット記録装置。
【発明の詳細な説明】
【技術分野】
【０００１】
本発明は、インクを記録媒体に吐出して画像形成を行うインクジェット記録装置に関する。
【背景技術】
【０００２】
インクジェット記録装置は、インクジェットヘッドに設けられた複数のノズルからインクを吐出させて、記録媒体に画像を形成している。また、近年では、記録媒体として布帛を用いて、この布帛に画像を形成するインクジェット記録装置も提案されている。
【０００３】
記録媒体として布帛を用いた場合、布帛の表面から突出する毛羽がインクジェットヘッドのノズルに当接することで、ノズルが損傷するおそれがあった。このような布帛の毛羽によるノズルの損傷を防ぐために、例えば、特許文献１及び特許文献２に記載されているようなものがある。特許文献１には、媒体プレス部により記録媒体を圧縮する技術が記載されている。また、特許文献２には、毛羽を所定の高さに切断し揃毛する毛羽カッター部を備えた技術が記載されている。
【先行技術文献】
【特許文献】
【０００４】
【特許文献１】特開２０１７−１２２２９５号公報
【特許文献２】特開２０１７−１２８８２８号公報
【発明の概要】
【発明が解決しようとする課題】
【０００５】
しかしながら、特許文献１及び特許文献２に記載された技術では、媒体プレス部や毛羽カッター部によって記録媒体に対して加工を施していたため、記録媒体が損傷するおそれがあった。
【０００６】
本発明は、上述のような従来の問題点に鑑み、記録媒体に対して加工を施すことなくインクジェットヘッドが損傷することを軽減することができるインクジェット記録装置を提供することを目的とする。
【課題を解決するための手段】
【０００７】
上記課題を解決し、本発明の目的を達成するため、本発明のインクジェット記録装置は、記録媒体に対向して配置され、記録媒体に順番にインクを吐出する複数のヘッドユニットを備えている。複数のヘッドユニットは、インクを吐出するインクジェットヘッドを有している。
複数のヘッドユニットのうち先にインクを吐出する第１ヘッドユニットにおける吐出面と記録媒体との間隔は、次にインクを吐出する第２ヘッドユニットにおける吐出面と記録媒体との間隔以上に設定されている。また、第１ヘッドユニットにおける吐出面と記録媒体との間隔は、少なくとも第２ヘッドユニットの次にインクを吐出する第３ヘッドユニットにおける吐出面と記録媒体との間隔よりも広く設定される。
【発明の効果】
【０００８】
上記構成のインクジェット記録装置によれば、記録媒体に対して加工を施すことなくインクジェットヘッドが損傷することを軽減することができる。
【図面の簡単な説明】
【０００９】
【図１】本発明の実施の形態例に係るインクジェット記録装置を示す概略構成図である。
【図２】本発明の第１の実施の形態例に係るインクジェット記録装置のキャリッジを記録媒体側から見た平面図である。
【図３】本発明の第１の実施の形態例に係るインクジェット記録装置の複数のキャリッジを幅方向の一側から見た側面図である。
【図４】本発明の第２の実施の形態例に係るインクジェットヘッド記録装置を示す概略構成図である。
【図５】本発明の第２の実施の形態例に係るインクジェットヘッド記録装置のキャリッジの一例を搬送方向の下流側から見た正面図である。
【図６】本発明の第２の実施の形態例に係るインクジェットヘッド記録装置のキャリッジの他の例を搬送方向の下流側から見た正面図である。
【発明を実施するための形態】
【００１０】
以下に、本発明のインクジェット記録装置を実施するための形態について、図１〜図６を参照しながら説明する。なお、各図において共通の部材には、同一の符号を付している。また、本発明は、以下の形態に限定されるものではない。
【００１１】
１．第１の実施の形態例
１−１．インクジェット記録装置の構成
まず、本発明の第１の実施の形態例（以下、「本例」という）にかかるインクジェット記録装置の構成について図１を参照して説明する。
図１は、本例のインクジェット記録装置を示す概略構成図である。
【００１２】
図１に示す装置は、記録媒体Ｒに向けてインク滴と吐出することで画像を形成するインクジェット記録装置である。また、図１に示すインクジェット記録装置１は、記録媒体Ｒを搬送する際に、複数のインクジェットヘッドを用いて画像形成を行う１パス描画方式のインクジェット記録装置である。さらに、図１に示すインクジェット記録装置１では、記録媒体Ｒの一例として布帛を適用した例を説明する。
【００１３】
以下の説明では、記録媒体Ｒを搬送する方向を搬送方向、記録媒体Ｒの画像形成面において搬送方向と直交する方向を幅方向とする。そして、搬送方向及び幅方向と直交する方向、すなわちインクが吐出される方向を上下方向とする。
【００１４】
図１に示すように、記録媒体Ｒを搬送する搬送部２と、複数のキャリッジ３１、３２、３３、３４、３５、３６（本例では、６つ）と、送り出し部５と、巻き取り部６と、を備えている。
【００１５】
搬送部２は、搬送ベルト２１と、駆動ローラ２２と、従動ローラ２３と、押し付け部材２４とを有している。駆動ローラ２２と従動ローラ２３は、搬送方向に所定の間隔を空けて配置されている。また、駆動ローラ２２及び従動ローラ２３は、その軸方向を幅方向と平行にして配置される。駆動ローラ２２には、不図示の駆動部に接続されている。そして、不図示の駆動部が駆動した際に、駆動ローラ２２は、回転駆動する。
【００１６】
搬送ベルト２１は、駆動ローラ２２と従動ローラ２３に巻き掛けられている。搬送ベルト２１は、長手方向の両端部が接続された無端状に形成されている。搬送ベルト２１には、記録媒体Ｒが載置される。そして、駆動ローラ２２が回転駆動すると、搬送ベルト２１は、駆動ローラ２２と従動ローラ２３の間を循環移動し、載置された記録媒体Ｒを搬送する。
【００１７】
搬送ベルト２１における上下方向の上面部には、後述するキャリッジ３１、３２、３３、３４、３５、３６が配置される。また、搬送ベルト２１の上面部において、キャリッジ３１、３２、３３、３４、３５、３６よりも搬送方向の上流側には、押し付け部材２４が配置されている。
【００１８】
押し付け部材２４は、ローラ状に形成されている、そして、押し付け部材２４は、不図示の支持部により回転可能に支持されている。押し付け部材２４は、その軸方向を幅方向と平行にして配置される。また、押し付け部材２４の軸方向の長さは、搬送ベルト２１の幅方向の長さよりも長く設定されている。そのため、押し付け部材２４は、搬送ベルト２１の幅方向の一端から他端にかけて延在している。そして、押し付け部材２４は、後述する送り出し部５によって搬送部２に搬送された記録媒体Ｒを搬送ベルト２１の上面部に向けて押し付ける。
【００１９】
搬送部２の搬送方向の上流側には、送り出し部５が配置されている。送り出し部５は、ローラ状に形成されており、不図示の支持部に回転可能に支持されている。そして、送り出し部５は、回転駆動することで、記録媒体Ｒを搬送部２に向けて送り出す。
【００２０】
また、搬送部２の搬送方向の下流側には、巻き取り部６が配置されている、巻き取り部６は、キャリッジ３１、３２、３３、３４、３５、３６によって画像が形成された記録媒体Ｒを搬送ベルト２１から離反させ、回収する。
【００２１】
６つのキャリッジ３１、３２、３３、３４、３５、３６は、搬送ベルト２１の上面部に対してそれぞれ所定の間隔ｔ１、ｔ２、ｔ３、ｔ４、ｔ５、ｔ６を空けて対向している。６つのキャリッジ３１、３２、３３、３４、３５、３６は、幅方向の長さが記録媒体Ｒの幅方向の長さよりも長く設定されている。また、６つのキャリッジ３１、３２、３３、３４、３５、３６には、それぞれインクと吐出するヘッドユニット４１、４２、４３、４４、４６、４６が収容されている。
【００２２】
第１キャリッジ３１には、イエローのインクを吐出する第１ヘッドユニット４１が収容されている。第２キャリッジ３２には、イエローよりも視認性の高いオレンジのインクを吐出する第２ヘッドユニット４２が収容されており、第３キャリッジ３３には、オレンジよりも視認性の高いマゼンタのインクを吐出する第３ヘッドユニット４３が収容されている。第４キャリッジ３４には、マゼンタよりも視認性の高いシアンのインクを吐出する第４ヘッドユニット４４が収容されている。そして、第５キャリッジ３５及び第６キャリッジには、シアンよりも視認性の高いブラックのインクを吐出する第５ヘッドユニット４５と第６ヘッドユニット４６が収容されている。
【００２３】
そして、６のキャリッジ３１、３２、３３、３４、３５、３６は、搬送方向の上流側から、イエロー、オレンジ、マゼンタ、シアン、黒、黒の順に配置されている。すなわち、他のキャリッジ３２、３３、３４、３５、３６よりも視認性の低いインクを吐出する第１キャリッジ３１は、搬送方向の最上流に配置される。そして、最も視認性の低いインクを吐出する第１キャリッジ３１から順番に、記録媒体Ｒに向けてインクが吐出される。
【００２４】
したがって、搬送方向の上流側に配置されたキャリッジは、淡色のインクを吐出し、下流側に配置されたキャリッジよりも濃色のインクを吐出する。
【００２５】
また、本例のインクジェット記録装置１では、吐出するインクとして上述した単色のインクを用いた例を説明したが、これに限定されるものではない。例えば、記録媒体Ｒにインクを染み込みやすくする透明な浸透インクを用いてもよい。この場合、浸透インクは、搬送方向の最上流に配置され、他のインクよりも先に記録媒体Ｒに向けて吐出される。
【００２６】
６つのキャリッジ３１、３２、３３、３４、３５、３６と記録媒体Ｒとの上下方向の間隔については、後述する。
【００２７】
次に、ヘッドユニット４１、４２、４３、４４、４５、４６の構成について図２を参照して説明する。ヘッドユニット４１、４２、４３、４４、４５、４６は、吐出するインクの違いだけでその他の構成は、同一の構成を有している。そのため、ここでは、第１ヘッドユニット４１の構成について説明する。図２は、第１キャリッジ３１を記録媒体側から見た状態を示す平面図である。
【００２８】
図２に示すように、ヘッドユニット４１は、複数（本例では、１６個）のインクジェットヘッド２４２を有している。そして、２つのインクジェットヘッド２４２が１組となって、１つのインクジェットモジュール２４３を構成している、そのため、本例のヘッドユニット４１には、８つのインクジェットモジュール２４３が設けられている。
【００２９】
８つのインクジェットモジュール２４３は、搬送方向に沿って２列並べられている。そして、一列のインクジェットモジュール２４３は、幅方向に沿って４つ並べて配置されている。また、８つのインクジェットモジュール２４３は、２列のインクジェットモジュール２４３が搬送方向に沿って互い違いの千鳥状に配置されている。
【００３０】
なお、インクジェットモジュール２４３の数及び配置方法は、上述したものに限定されるものではなく、６つ又は１０つ以上のインクジェットモジュール２４３を配置してもよく、インクジェットモジュール２４３を搬送方向に対して傾斜させて配置してもよい。
【００３１】
また、インクジェットヘッド２４２は、複数のノズル２４４を有している。そして、インクジェットヘッド２４２は、ノズル２４４からインクを記録媒体Ｒに向けて吐出する。これにより、搬送ベルト２１に載置された記録媒体Ｒに画像が形成される。
【００３２】
１−２．各インクジェットヘッドと記録媒体の間隔について
次に、図３を参照して、各インクジェットヘッド２４２、すなわち６つのキャリッジ３１、３２、３３、３４、３５、３６と記録媒体Ｒの間隔について説明する。
図３は、キャリッジ３１、３２、３３、３４、３５、３６、３７を幅方向の一側から見た側面図である。
【００３３】
図３に示すように、第１キャリッジ３１の第１ヘッドユニット４１と記録媒体Ｒの上下方向の間隔、すなわちインクジェットヘッド２４２（図２参照）の吐出面４１ａと記録媒体Ｒの上下方向の間隔は、第１長さｔ１に設定されている。また、第２キャリッジ３２における第２ヘッドユニット４２の吐出面４２ａと記録媒体Ｒの上下方向の間隔は、第１長さｔ１と同じ第２長さｔ２に設定されている。
【００３４】
そして、第３キャリッジ３３における第３ヘッドユニット４３の吐出面４３ａと記録媒体Ｒの上下方向の間隔は、第１長さｔ１及び第２長さｔ２よりも短い第３長さｔ３に設定されている。第４キャリッジ３４における第４ヘッドユニット４４の吐出面４４ａと記録媒体Ｒの上下方向の間隔は、第３長さｔ３と同じ第４長さｔ４に設定されている。
【００３５】
また、第５キャリッジ３５における第５ヘッドユニット４５の吐出面４５ａと記録媒体Ｒの上下方向の間隔は、第３長さｔ３及び第４長さｔ４よりも短い第５長さｔ５に設定されている。第６キャリッジ３６における第６ヘッドユニット４６の吐出面４６ａと記録媒体Ｒの上下方向の間隔は、第５長さｔ５と同じ第６長さｔ６に設定されている。
【００３６】
すなわち、搬送方向の上流側に配置された第１キャリッジ３１及び第２キャリッジ３２は、吐出面４１ａ、４２ａと記録媒体Ｒとの間隔が最も広く設定されている。これに対して、搬送方向の下流側に配置された第５キャリッジ３５及び第６キャリッジ３６は、吐出面４５ａ、４６ａと記録媒体Ｒの間隔が最も狭く設定されている。
【００３７】
そして、他のキャリッジ３２〜３６よりも先にインクを吐出する第１キャリッジ３１と記録媒体Ｒとの間隔を広げることで、記録媒体Ｒの表面Ｒ１から突出する毛羽Ｒ２が第１キャリッジ３１の吐出面４１ａに当接する量を減らすことができる。これにより、毛羽Ｒ２による第１キャリッジ３１に収容された第１ヘッドユニット４１が損傷することを軽減することができる。
【００３８】
ここで、記録媒体Ｒの表面Ｒ１から突出する毛羽Ｒ２の高さは、均一ではなく不均一である。そのため、搬送方向の上流側に配置された第１キャリッジ３１の第１ヘッドユニット４１に毛羽Ｒ２による損傷が集中せずに、他のキャリッジ３２〜３６に分散される。すなわち、先にインクを吐出するヘッドユニットのノズルに損傷が集中することを防ぐことができ、毛羽Ｒ２が当接することで吐出不良が発生したノズル２４４（図２参照）の位置も分散させることができる。
【００３９】
また、ノズル２４４（図２参照）に吐出不良が発生した場合、吐出不良が発生したノズルに隣接するノズルからのインクの吐出量を増やすことで、吐出不良の補完動作が行われる。上述したように、毛羽Ｒ２が当接することで吐出不良が発生したノズルの位置が分散されるため、吐出不良が発生したノズルが集中することで補完動作ができなくなることを低減することができる。
【００４０】
さらに、表面Ｒ１から突出する毛羽Ｒ２は、各キャリッジ３１〜３６から吐出されるインクによって湿潤し、搬送方向の下流側に向かうにつれて次第に倒れる。そのため、搬送方向の下流側に配置された第５キャリッジ３５及び第６キャリッジ３６の吐出面４５ａ、４６ａと記録媒体Ｒとの間隔を狭く設定しても、毛羽Ｒ２が第５キャリッジ３５及び第６キャリッジ３６の吐出面４５ａ、４６ａに当接する量を軽減することができる。
【００４１】
このように、本例のインクジェット記録装置１によれば、記録媒体Ｒに対して加工を施すことなく、各インクジェットヘッド２４２のノズル２４４が損傷することを軽減することができ、記録媒体Ｒの損傷を防ぐことができる。
【００４２】
なお、吐出面と記録媒体Ｒとの間隔を広げた場合、インクの着弾位置がずれて画質が低下するおそれがある。しかしながら、上述したように、吐出面４１ａと記録媒体Ｒとの間隔を広げた第１キャリッジ３１は、他のキャリッジ３２〜３６よりも視認性の低いインクを吐出している。これにより、インクの着弾位置のずれによって生じる画質低下への影響を軽減することができる。
【００４３】
さらに、他のキャリッジ３１〜３４よりも視認性の高いインクを吐出する第５キャリッジ３５及び第６キャリッジ３６は、吐出面４５ａ、４６ａと記録媒体Ｒとの間隔を狭めている。これにより、第５キャリッジ３５及び第６キャリッジ３６でのインクの着弾位置のズレを抑制することができ、画質の低下を抑制することができる。
【００４４】
２．第２の実施の形態例
次に、図４〜図６を参照して本発明の第２の実施の形態例にかかるインクジェット記録装置について説明する。
図４は、第２の実施の形態例にかかるインクジェット記録装置を示す概略構成図である。
【００４５】
この第２の実施の形態例にかかるインクジェット記録装置は、キャリッジが記録媒体Ｒに対して搬送方向と直交する方向に移動して画像形成を行うスキャン方式のインクジェット記録装置である。ここでは、第１の実施の形態例に係るインクジェット記録装置１と共通する部分には同一の符号を付して重複した説明を省略する。
【００４６】
以下の説明では、記録媒体Ｒを搬送する方向を搬送方向、記録媒体Ｒの画像形成面において搬送方向と直交する方向、すなわちキャリッジが移動する方向を走査方向とする。そして、搬送方向及び走査方向と直交する方向、すなわちインクが吐出される方向を上下方向とする。
【００４７】
図４に示すように、インクジェット記録装置１００は、搬送部１０２と、キャリッジ１３０と、支持機構を示すガイドレール１０７とを備えている。搬送部１０２は、搬送ベルト１２１と、駆動ローラ１２２と、従動ローラ１２３とを有している。駆動ローラ１２２と従動ローラ１２３は、搬送方向に所定の間隔を空けて配置されている。また、駆動ローラ１２２及び従動ローラ１２３は、その軸方向を幅方向と平行にして配置される。駆動ローラ１２２には、不図示の駆動部に接続されている。そして、不図示の駆動部が駆動した際に、駆動ローラ１２２は、回転駆動する。
【００４８】
搬送ベルト１２１は、駆動ローラ１２２と従動ローラ１２３に巻き掛けられている。搬送ベルト１２１は、長手方向の両端部が接続された無端状に形成されている。搬送ベルト１２１には、記録媒体Ｒが載置される。そして、駆動ローラ１２２が回転駆動すると、搬送ベルト１２１は、駆動ローラ１２２と従動ローラ１２３の間を循環移動し、載置された記録媒体Ｒを搬送する。
【００４９】
搬送ベルト１２１における上下方向の上面部には、ガイドレール１０７によって走査方向に移動可能に支持されたキャリッジ１３０が対向する。ガイドレール１０７は、搬送方向と直交する走査方向に沿って配置されている。このガイドレール１０７には、キャリッジ１３０が走査方向に移動可能に支持されている。また、キャリッジ１３０は、搬送ベルト１２１の上面部に所定の間隔を空けてガイドレール１０７に支持される。
【００５０】
図５は、キャリッジ１３０を搬送方向の下流側から見た正面図である。
なお、図５では、キャリッジ１３０がガイドレール１０７を往復移動する際に、一方向の移動のときにのみインクを吐出する例を説明する。
【００５１】
図５に示すように、キャリッジ１３０における記録媒体Ｒと対向する対向面部１３７は、記録媒体Ｒとの上下方向の間隔が走査方向の上流側から下流側にかけて段階的に狭くなるように形成されている。そして、キャリッジ１３０の対向面部１３７には、９つのインクジェットヘッド１４１〜１４９が収容されている。
【００５２】
キャリッジ１３０が１回移動する際に、他のヘッドユニット１４２〜１４９よりも先にインクを吐出する第１ヘッドユニット１４１は、キャリッジ１３０における走査方向の最上流側の端部に配置される。そのため、第１ヘッドユニット１４１の吐出面１４１ａと記録媒体Ｒとの上下方向の間隔は、他のヘッドユニット１４２〜１４９の吐出面１４２ａ〜１４９ａと記録媒体Ｒとの上下方向の間隔よりも広く設定される。
【００５３】
また、最後にインクと吐出する第９ヘッドユニット１４９は、キャリッジ１３０における走査方向の最下流側の端部に配置される。そのため、第９ヘッドユニット１４９の吐出面１４９ａと記録媒体Ｒとの上下方向の間隔は、他のヘッドユニット１４１〜１４８の吐出面１４１ａ〜１４８ａと記録媒体Ｒとの上下方向の間隔よりも狭く設定される。
【００５４】
そして、他のヘッドユニット１４２〜１４８は、キャリッジ１３０における走査方向の上流側から下流側に向けて第２ヘッドユニット１４２、第３ヘッドユニット１４３、第４ヘッドユニット１４４、第５ヘッドユニット１４５、第６ヘッドユニット１４６、第７ヘッドユニット１４７、第８ヘッドユニット１４８の順に、配置される。
【００５５】
さらに、９つのヘッドユニット１４１〜１４９は、走査方向の最上流側に配置された第１ヘッドユニット１４１から視認性の低いインクを順に吐出する。
【００５６】
なお、スキャン方式のインクジェット記録装置は、キャリッジが往復移動する際に、往路と復路の両方でインクを吐出する例がある。図６を参照して、往路と復路の両方でインクを吐出するキャリッジ１３０Ｂについて説明する。
図６は、キャリッジ１３０Ｂを搬送方向の下流側から見た正面図である。
【００５７】
図６に示すように、キャリッジ１３０Ｂにおける対向面部１３８は、走査方向の両端部から走査方向の中央部に向かうにつれて段階的に上下方向の下方に向けて突出する形状に形成されている。そのため、対向面部１３８における走査方向の両端部での記録媒体Ｒとの上下方向の間隔は、走査方向の中央部での記録媒体Ｒとの上下方向の間隔よりも広く設定されている。
【００５８】
また、キャリッジ１３０Ｂの対向面部１３８には、９つのヘッドユニット１４１〜１４９が収容されている。キャリッジ１３０Ｂの往路時に、他のヘッドユニット１４２〜１４９よりも先にインクを吐出する第１ヘッドユニット１４１は、キャリッジ１３０Ｂにおける往路時の走査方向の最上流側の端部に配置される。また、キャリッジ１３０Ｂの復路時に、他のヘッドユニット１４１、１４３〜１４９よりも先にインクを吐出する第２ヘッドユニット１４２は、キャリッジ１３０Ｂにおける復路時の走査方向の最上流側の端部に配置される。また、第９ヘッドユニット１４９は、キャリッジ１３０Ｂにおける走査方向の中央部に配置される。
【００５９】
また、キャリッジ１３０Ｂの往路時に２番目にインクを吐出する第３ヘッドユニット１４３は、第１ヘッドユニット１４１よりも往路時の走査方向の下流側に配置される。そして、キャリッジ１３０Ｂの復路時に２番目にインクを吐出する第４ヘッドユニット１４４は、第２ヘッドユニット１４２よりも復路時の走査方向の下流側に配置される。
【００６０】
往路時に３番目にインクを吐出する第５ヘッドユニット１４５は、第３ヘッドユニット１４３よりも往路時の走査方向の下流側に配置され、復路時に３番目にインクを吐出する第６ヘッドユニット１４６は、第４ヘッドユニット１４４よりも復路時の走査方向の下流側に配置される。そして、往路時に４番目にインクを吐出する第７ヘッドユニット１４７は、第５ヘッドユニット１４５よりも往路時の走査方向の下流側に配置され、復路時に４番目にインクを吐出する第８ヘッドユニット１４８は、第６ヘッドユニット１４６よりも復路時の走査方向の下流側に配置される。
【００６１】
往路時及び復路時において最初にインクを吐出する第１ヘッドユニット１４１及び第２ヘッドユニット１４２は、他のヘッドユニット１４３〜１４９よりも視認性の低いインクを吐出する。また、キャリッジ１３０Ｂにおける走査方向の中央部に配置された第９ヘッドユニット１４９は、他のヘッドユニット１４１〜１４８よりも視認性の高いインクを吐出する。すなわち、９つのヘッドユニット１４１〜１４９は、キャリッジ１３０Ｂの走査方向の両端部から中央部に向かうにつれて視認性の低いインクが順に配置される。
【００６２】
その他の構成は、上述した第１の実施の形態例にかかるインクジェット記録装置１と同様であるため、それらの説明は省略する。このようなキャリッジ１３０、１３０Ｂを有するインクジェット記録装置１００によっても、上述した第１の実施の形態例にかかるインクジェット記録装置１と同様の作用及び効果を得ることができる。
【００６３】
なお、本発明は上述しかつ図面に示した実施の形態に限定されるものではなく、特許請求の範囲に記載した発明の要旨を逸脱しない範囲内で種々の変形実施が可能である。
【００６４】
なお、本明細書において、「平行」及び「直交」等の単語を使用したが、これらは厳密な「平行」及び「直交」のみを意味するものではなく、「平行」及び「直交」を含み、さらにその機能を発揮し得る範囲にある、「略平行」や「略直交」の状態であってもよい。
【符号の説明】
【００６５】
１、１００…インクジェット記録装置、  ２、１０２…搬送部、  ２１…搬送ベルト、  ３１…第１キャリッジ、  ３２…第２キャリッジ、  ３３…第３キャリッジ、  ３４…第４キャリッジ、  ３５…第５キャリッジ、  ３６…第６キャリッジ、  ４１…第１ヘッドユニット、  ４１ａ、４２ａ、４３ａ、４４ａ、４５ａ、４６ａ…吐出面、  ４２…第２ヘッドユニット、  ４３…第３ヘッドユニット、  ４４…第４ヘッドユニット、  ４５…第５ヘッドユニット、  ４６…第６ヘッドユニット、  １０７…ガイドレール（支持機構）、  １３０、１３０Ｂ…キャリッジ、  １３０Ｂ…キャリッジ、  ２４２…インクジェットヘッド、  ２４３…インクジェットモジュール、  ２４４…ノズル、  Ｒ…記録媒体、  Ｒ１…表面、  Ｒ２…毛羽
【図１】
2019155681.tif 000003
【図２】
2019155681.tif 000004
【図３】
2019155681.tif 000005
【図４】
2019155681.tif 000006
【図５】
2019155681.tif 000007
【図６】
2019155681.tif 000008